(57)【特許請求の範囲】
【請求項１】
ハウジング先端部に係合溝と係止突起とを有する第１コネクタと、先端部に前記係合溝に係合するロック部を有する可撓性のロックアームを設けたハウジング本体と、前記ハウジング本体に装着され、軸方向に弾性付勢されかつ前記係止突起に当接する当接部を片持ちアーム先端に有するスライダとを備えた第２コネクタとから成る半嵌合防止コネクタにおいて、
前記当接部と前記係止突起との双方の当接面が、前記片持ちアームの撓み支点を中心とする円弧面状に成形されていることを特徴とする半嵌合防止コネクタ。
【請求項２】
前記スライダが、前記ハウジング本体内に収納されていることを特徴とする請求項１記載の半嵌合防止コネクタの。
【発明の詳細な説明】
【０００１】
【発明の属する技術分野】
本発明は、自動車等に使用されるワイヤーハーネスの電気的接続に用いられ、弾性部材の付勢力により中途嵌合を防止すると共に、コネクタの破損等を防止する半嵌合防止コネクタに関する。
【０００２】
【従来の技術】
従来から半嵌合防止コネクタに関しては種々なものが知られている。例えば、特開平９−１３４７５７号公報に開示されている従来の半嵌合防止コネクタについて説明する。
図８に示したように従来の半嵌合防止コネクタ６１は、ワイヤーハーネス中の個々の電線が接続されたコネクタ端子７８が装着される第１コネクタ６２と、コネクタ端子７８にコンタクトするコネクタ端子７９が装着される第２コネクタ６３とから成る。この第２コネクタ６３は、ハウジング本体６４と、このハウジング本体６４の外周を軸方向にスライドし、かつ前方へ弾性付勢されたスライダ６５とから構成されている。
【０００３】
また、第１コネクタ６２のハウジング先端部には係合溝６７と係止突起６８とが設けられており、第２コネクタ６３のハウジング先端部には係合溝６７に係合するロック部６９を有する可撓性のロックアーム７０が設けられている。
また、スライダ６５にはロックアーム７０の撓みを制御すると共に、中途嵌合を防止するために軸方向前方へ弾性付勢され、かつ前端部に係止突起６８に当接される当接部７１が設けられている。この当接部７１はスライダ６５後端部に取り付けられ、外側へ撓み、かつ中央に長方形のスライド孔７３を有する片持ちアーム７２の前端部に設けられている。
【０００４】
さらに、ハウジング本体６４のスライド孔７３に対応する位置には、片持ちアーム押し上げ突起７４が形成されている。また、第１コネクタの内部空間７５には雄型のコネクタ端子７８が突出しており、ハウジング本体６４の端子収容室７６には雌型のコネクタ端子７９が装着されている。
【０００５】
上記構成の半嵌合防止コネクタ６１においては、図９に示したように第１、第２コネクタ６２、６３を互いに嵌合させて行くと、先ずスライダ６５に設けられた片持ちアーム７２先端の当接部７１が第１コネクタ６２のハウジング６６に形成されている係止突起６８に当接される。
さらに、第２コネクタ６３のハウジング本体６４を嵌合方向へ押し込むと、スライダ６５は停止したままでハウジング本体６４だけが嵌合方向へ前進する。すると、図１０に示したようにロックアーム７０の前方部分はスライダ６５から露出するので上方へ撓むことができる。そして、ハウジング本体６４がさらに押し込まれると、ロック部６９は相手のハウジング６６前端部に乗り上げて前進する。
【０００６】
次に、図１１に示したようにロック部６９が係合溝６７に係合される直前に片持ちアーム押し上げ突起７４が当接部７１を押し上げて係止突起６８による係止を解除するから、ロック部６９が係合溝６７に係合されると同時にスライダ６５は弾性付勢力によって前進し、ロック部６９を覆って係合外れを制止するようにロックされる。
仮に、当接部７１が係合突起６８から解除される前に嵌合力を弛めると、スライダ６５の弾性付勢力によってハウジング本体６４が反嵌合方向へ押し戻される。これにより、双方のコネクタの中途嵌合状態を容易に検知することができる。
【０００７】
なお、第１、第２コネクタ６２、６３の嵌合状態を解除するには、スライダ６５を後方へ引き戻すと、スライダ６５にはハウジング本体６４との間に図示されないスライド範囲の規制機構があるので、ハウジング本体６４も引き戻される。このとき、ロック部６９はスライダ６５には覆われていないと共に、ロック部６９の後面にも傾斜面が付いているからロックアーム７０を外方へ撓ませて係合溝６７の係合から解除される。そして、第１、第２コネクタ６２、６３が解除された後、スライダ６５を手放すと、スライダ６５は弾性付勢力によって離脱方向に移動する。
【０００８】
【発明が解決しようとする課題】
しかしながら、上記従来の半嵌合防止コネクタ６１においては、図１１に示したように嵌合時にはスライダ６５の当接部７１が係止突起６８から解除されるとき、図１２に示したように片持ちアーム７２は撓み支点Ｃを中心にして撓むことになる。このとき、当接部７１の当接面７１ａと係止突起６８の当接面としての係止面６８ａが共に垂直面であると、ラップ部Ｌでいずれか一方又は両方が欠けたり変形したりして、信頼性および耐久性が低下するという問題があった。
また、片持ちアーム７２がハウジング本体６４の外周をスライドするスライダ６５に設けられているので、外部からの不慮の衝突物によってスライダが変形や破損して誤動作につながる可能性があり、一層信頼性および耐久性が低下してしまうという問題があった。
【０００９】
本発明の目的は、上記問題点に鑑みてなされたものであり、嵌合時にハウジングの一部の変形や破損を防止すると共に、不慮の衝突物による誤動作を防止できる信頼性および耐久性に優れた半嵌合防止コネクタを提供することにある。
【００１０】
【課題を解決するための手段】
本発明に係わる上記課題は、ハウジング先端部に係合溝と係止突起とを有する第１コネクタと、先端部に前記係合溝に係合するロック部を有する可撓性のロックアームを設けたハウジング本体と、前記ハウジング本体に装着され、軸方向に弾性付勢されかつ前記係止突起に当接する当接部を片持ちアーム先端に有するスライダとを備えた第２コネクタとから成る半嵌合防止コネクタにおいて、
前記当接部と前記係止突起との双方の当接面が、前記片持ちアームの撓み支点を中心とする円弧面状に成形されていることを特徴とする半嵌合防止コネクタによって解決することができる。
また、前記半嵌合防止コネクタにおいて、好ましくは前記スライダが前記ハウジング本体内に収納されている。
【００１１】
上記構成の半嵌合防止コネクタによると、前記当接部と前記係止突起との双方の当接面が前記片持ちアームの撓み支点を中心とする円弧面状に成形されているので、嵌合作業中にスライダの当接部が係止突起から解除されるとき、互いの当接面および係止面間に干渉するラップ部が無くなって円滑に滑る。従って、変形や破損の発生することはなく、信頼性および耐久性を向上させることができる。
【００１２】
また、前記スライダが前記ハウジング本体内に収納されていると、不慮の衝突物による変形や破損を確実に防止することができるので、衝突物に起因する誤動作等も防止することができ、一層信頼性および耐久性を向上することができる。
【００１３】
【発明の実施の形態】
以下、本発明の半嵌合防止コネクタの一実施形態を図１乃至図７に基づいて詳細に説明する。図１は本発明の半嵌合防止コネクタの一実施形態を示す分解斜視図、図２は図１における嵌合開始前の縦断面図、図３は図１における嵌合開始時を示す作動説明図、図４は図１における嵌合途中を示す作動説明図、図５は図１における嵌合完了前を示す作動説明図、図６は図１における嵌合完了時を示す作動説明図、図７は図５における当接部と係止突起周りの部分拡大図である。
【００１４】
図１に示すように半嵌合防止コネクタ１は、ハウジング６先端部に係合溝７と係止突起８とを有する第１コネクタ２と、先端部に係合溝７に係合するロック部９を有する可撓性のロックアーム１０を設けたハウジング本体４と、該ハウジング本体内を移動可能なスライダ５とを有する第２コネクタ３とから構成されている。このスライダ５は、ロックアーム１０の撓みを制御すると共に中途嵌合を防止するために軸方向に圧縮バネ３０により弾性付勢されており、中央部に可撓性の片持ちアーム１２を有し、その先端に係止突起８に当接する当接部１１が下方へ突設されている。
【００１５】
また、本実施形態の半嵌合防止コネクタにおいては、当接部１１の当接面１１ａと係止突起８の係止面８ａとの双方の当り面が、片持ちアーム１２の撓み支点Ｃを中心とする円弧面または円弧面に近い円弧面状の傾斜面に成形されている。さらに、スライダ５がハウジング本体４内に収納されていると共に、片持ちアーム１２はスライダ５の上面から離れた内側に設けられている。
【００１６】
さらに詳しくは、第１コネクタ２のハウジング６上面には１個の係合溝７と先端両側には一対の係止突起８、８が設けられている。そして、複数の端子収容室１５には複数の雌型のコネクタ端子１８が収容されている。
また、ハウジング本体４先端の中央部には係合溝７に係合する１個のロック部９を有する１個の可撓性のロックアーム１０が設けられている。そして、ロックアーム１０付け根部分の両側には片持ちアーム１２を撓ませて当接部１１を持ち上げるための一対の当接部押し上げ突起１４、１４が設けられている。
【００１７】
また、ロックアーム１０下部には複数の端子収容室１６があって複数の雄型のコネクタ端子１９が収容されている。さらに、当接部押し上げ突起１４の外側には一対のバネ収容室３１、３１が設けられており、圧縮バネ３０を収容するようになっている。また、バネ収容室３１の上側には長手方向に延伸された一対のスライダ案内溝１３、１３が設けられていると共に、前端上面にはスライダ５前端の移動を規制する停止板２１が設けられている。さらに、ロックアーム１０先端のロック部９上部にはロック状態の不慮の解除を防止するための外れ防止突起９ａが設けられている。
【００１８】
また、スライダ５後端部にはコネクタ解除時にスライダ５を反嵌合方向へ引っ張るための操作部１７が設けられている。さらに、上部両側には後端から前端にわたって案内部３３が設けられており、スライダ案内溝１３に案内されて前後にスライド可能なように構成されている。そして、スライダ５上面には停止突起２０が突設されており、ハウジング本体４の停止板２１に当接してスライダ５の移動を規制する。
また、案内部３３前端にはバネ受け板３２が設けられており、圧縮バネ３０の前端が当接される。さらに、スライダ５の前端には一対のバネ受け板３２を結ぶ外れ防止板２２が設けられており、係合溝７に係合されたロック部９が外れないように上方から覆う。
【００１９】
上記構成の半嵌合防止コネクタ１においては、図１および図２に示すように第１コネクタ２の端子収容室１５に電線が接続された複数の雌型のコネクタ端子１８が装着されると共に、第２コネクタ３の端子収容室１６にも電線が接続された複数の雄型のコネクタ端子１９が装着される。そして、第２コネクタ３のバネ収容室３１に圧縮バネ３０が挿入された後、スライダ５がスライダ案内溝１３に案内されながらハウジング本体４に挿入される。このとき、停止突起２０の後端面に設けられた傾斜面が停止板２１を撓ませながら挿入され、停止突起２０の前端面が停止板２１の後端面に当接されてスライダ５の前端位置が規制される。
【００２０】
次に、第１コネクタ２と第２コネクタ３との嵌合作用を説明する。図３に示すように第１、第２コネクタ２、３の嵌合が開始されると、スライダ５に設けられた当接部１１の当接面１１ａが第１コネクタ２のハウジング６に形成されている係止突起８の係止面８ａに当接する。さらに、第１コネクタ２のハウジング６を嵌合方向へ押し込むと、図４に示すようにスライダ５は圧縮バネ３０の反発力に抗してハウジング本体４の後方に移動する。
すると、図４および図５に示すように係合突起７ａ先端の傾斜面がロック部９先端の傾斜面に当接されてロック部９を押し上げるのでロックアーム１０は上方に撓む。そして、ロック部９は相手のハウジング６の係合突起７ａを乗り越えて係合溝７に係合される。
【００２１】
このとき、図５に示すように当接部押し上げ突起１４の前端傾斜面が当接部１１の後端面に当接するので、スライダ５の片持ちアーム１２が上方へ撓んで押し上げられる。すると、係止突起８に当接していた当接部１１の当接面１１ａが係止面８ａ上を滑って上方へ押し上げられる。これにより、図６に示すようにスライダ５は圧縮バネ３０の反発力によってハウジング本体４の最前端位置まで移動する。そして、外れ防止板２２がロックアーム１０先端の外れ防止突起９ａを上から押さえ込んで、振動等による係合状態の外れを防止することで、第１、第２コネクタ２、３の嵌合作業が完了する。
なお、上述した当接部１１と係止突起８との当接状態が解除される前に押し込み力を止めると、圧縮バネ３０の反発力によってハウジング本体４はハウジング６から双方の雌雄端子の導通が完全にない位置まで押し戻される。よって、第１、第２コネクタ２、３の中途嵌合状態が確実に検知される。
【００２２】
また、上記第１、第２コネクタ２、３の嵌合状態を解除するには、スライダ５の操作部１７に手指を掛けて圧縮バネ３０の反発力に抗しながら反嵌合方向へ引っ張ると、外れ防止板２２が外れ防止突起９ａ上部から後方に移動するのでロックアーム１０は上方へ撓むことができる。この状態で、第１コネクタ２のハウジング６を引っ張ると、第１コネクタ２の係合突起７ａがロック部９の後方に設けられた斜面によって該ロック部９を乗り越えることで、第２コネクタ３から引き抜かれる。
【００２３】
上述した半嵌合コネクタ１によれば、図７に示すように当接部１１の当接面１１ａと係止突起８の係止面８ａとの双方が、片持ちアーム１２の撓み支点Ｃを中心とする円弧面状に成形されている。従って、嵌合作業中にスライダ５の当接部１１が係止突起８による係止状態から解除されるとき、互いの当接面１１ａおよび係止面８ａ間に干渉するラップ部がなく円滑に滑ることができる。よって、変形や破損が発生することはなく、信頼性および耐久性を向上させることができる。
【００２４】
また、上記スライダ５がハウジング本体４内に収納され、かつ片持ちアーム１２の当接部１１が上面より下方にあるので、不慮の衝突物により変形や破損を防止することができる。従って、変形や破損による誤動作を起こすこともなく、一層信頼性および耐久性を向上させることができる。
【００２５】
なお、本発明の半嵌合防止コネクタは、上述した実施形態に限定されるものでなく、適宜な変更を行うことにより他の形態でも実施することができる。例えば、本実施形態ではロック部９およびロックアーム１０は中心部に１個設けられていたが、相手コネクタ２の係合溝７および係合突起７ａの配置を対応させれば、両側一対であっても差し支えない。また、ハウジング６には雌型のコネクタ端子１８が収納されており、ハウジング本体４には雄型のコネクタ端子１９が収納されていたが、端子収納室１５、１６の形状を対応するように変更すれば、逆の構成であっても差し支えない。
【００２６】
【発明の効果】
以上説明したように本発明の半嵌合防止コネクタによれば、当接部と係止突起との双方の当接面が、片持ちアームの撓み支点を中心とする円弧面状に成形されていると、嵌合作業中にスライダの当接部が係止突起から解除されるとき、互いの当接面および係止面間に干渉するラップ部が無くなって円滑に滑る。従って、変形や破損の発生することはなく、信頼性および耐久性を向上させることができる。
また、前記スライダがハウジング本体内に収納されていると、不慮の衝突物による変形や破損を確実に防止することができるので、衝突物に起因する誤動作等も防止することができ、一層信頼性および耐久性を向上することができる。
【図面の簡単な説明】
【図１】本発明の半嵌合防止コネクタの一実施形態を示す分解斜視図である。
【図２】図１における嵌合開始前を示す縦断面図である。
【図３】図１における嵌合開始状態を示す作動説明図である。
【図４】図１における嵌合途中状態を示す作動説明図である。
【図５】図１における嵌合完了前を示す作動説明図である。
【図６】図１における嵌合完了状態を示す作動説明図である。
【図７】図５における当接部と係止突起周りの部分拡大図である。
【図８】従来の半嵌合防止コネクタの一例を示す縦断面図である。
【図９】図８における嵌合開始時の作動説明図である。
【図１０】図８における嵌合途中の作動説明図である。
【図１１】図８における嵌合完了時の作動説明図である。
【図１２】図８における当接部が係止突起から解除される状態の部分拡大図である。
【符号の説明】
１    半嵌合防止コネクタ
２    第１コネクタ
３    第２コネクタ
４    ハウジング本体
５    スライダ
６    ハウジング
７    係合溝
７ａ  係合突起
８    係止突起
８ａ  係止面
９    ロック部
９ａ  外れ防止突起
１０    ロックアーム
１１    当接部
１１ａ  当接面
１２    片持ちアーム
１４    当接部押し上げ突起
２０    停止突起
２１    停止板
２２    外れ防止板
３０    圧縮バネ（弾性体）
Ｃ    撓み支点
【図１】
0003676585.tif 000002
【図２】
0003676585.tif 000003
【図３】
0003676585.tif 000004
【図４】
0003676585.tif 000005
【図５】
0003676585.tif 000006
【図６】
0003676585.tif 000007
【図７】
0003676585.tif 000008
【図８】
0003676585.tif 000009
【図９】
0003676585.tif 000010
【図１０】
0003676585.tif 000011
【図１１】
0003676585.tif 000012
【図１２】
0003676585.tif 000013